(57)【要約】【課題】  医療従事者が医療行為を実施する際にその医療行為を実際に入力しなくても、禁止されている医療行為を医療従事者に把握させる。【解決手段】  患者への医療行為を示す医療行為情報とその医療行為が実施された患者に対して実施が禁止されている医療行為があればその医療行為を示す禁止行為情報とを互いに対応付けて記憶部３に予め記憶しておく。医療従事者が実際に実施した医療行為を示す実施済医療行為情報を入力部４にて入力した場合に、その実施済医療行為情報によって特定される医療行為情報に対応する禁止行為情報が記憶部３に記憶されているとき、情報付加部２ｂは、該当する禁止行為情報を記憶部３から取得して、実際に医療行為が実施された患者を示す患者情報と対応付けて記憶しておく。そして、患者が指定された場合、表示部６は対応する禁止行為情報があれば実施済医療行為情報とともに表示する。【選択図】        図１
2009271574.tif 000002
【特許請求の範囲】
【請求項１】
患者への医療行為を示す医療行為情報と実施された医療行為に対して組み合わせて実施することが禁止されている医療行為があればその医療行為を示す禁止行為情報とを互いに対応付けて予め記憶する記憶部と、
実際に医療行為が実施された患者を識別するための患者情報とその患者に対して実際に実施した医療行為を示す実施済医療行為情報とを入力する入力部と、
前記実施済医療行為情報によって特定される前記医療行為情報に対応する禁止行為情報が前記記憶部に記憶されているか否かを判定する判定部と、
前記実施済医療行為情報によって特定される前記医療行為情報に対応する禁止行為情報が前記記憶部に記憶されていると前記判定部にて判断した場合に、該当する禁止行為情報を前記記憶部から取得し、前記患者情報と対応付けて前記記憶部に記憶させる情報付加部と、
前記患者情報を指定する患者指定部と、
前記患者指定部にて指定された前記患者情報に対応する禁止行為情報が前記記憶部に記憶されているか否かを判定し、記憶されていれば前記禁止行為情報を前記記憶部から取得する情報取得部と、
前記情報取得部にて取得した前記禁止行為情報を前記実施済医療行為情報とともに表示する表示部とを備えたことを特徴とする看護支援システム。
【請求項２】
患者を識別するための患者情報と前記患者に対して実施が禁止されている医療行為があればその医療行為を示す患者別禁止行為情報とを互いに対応付けて予め記憶する記憶部と、
前記患者情報を指定する患者指定部と、
前記患者指定部にて指定した前記患者情報に対応する患者別禁止行為情報が前記記憶部に記憶されているか否かを判定し、記憶されていれば前記患者別禁止情報を前記記憶部から取得する情報取得部と、
前記情報取得部にて取得した患者別禁止行為情報を前記患者情報とともに表示する表示部とを備えたことを特徴とする看護支援システム。
【発明の詳細な説明】
【技術分野】
【０００１】
本発明は、病院などの医療機関において、医師や看護師などの医療従事者に対する看護業務を支援するための看護支援システムに関する。
【背景技術】
【０００２】
従来、医療従事者は、医療従事者自身の居る部屋（例えば、スタッフルームなど）で患者への医療行為を把握した後、患者が居る病室などへ行って把握した医療行為を実施している。ここで、医療行為とは、薬の投与や検査の実施、食事の配膳などであり、患者の症状などによって内容が決められており、その内容は患者によって異なる。
【０００３】
ところで、多忙である医療従事者は、１人で複数の患者に対して医療行為を実施することが多い。この場合、医療従事者は、患者毎の医療行為の内容をノートなどの紙に予め記載しておき、その内容を見て患者毎の医療行為を確認している。また近年、医療従事者は、紙の代わりにパソコン（Ｐｅｒｓｏｎａｌ  Ｃｏｍｐｕｔｅｒ）やＰＤＡ（Ｐｅｒｓｏｎａｌ  Ｄｉｇｉｔａｌ  Ａｓｓｉｓｔａｎｔｓ）などの端末装置に患者毎の医療行為の内容を予め登録しておき、その内容を見て患者毎の医療行為を確認している。なお、端末装置を利用して患者毎の医療行為を確認する技術の一つとして、特許文献１に記載の投薬適否判定システムが知られている。
【特許文献１】特開平６−２７４４７２号公報
【０００４】
特許文献１に記載の投薬適否判定システムは、患者へ投与する予定の薬の名称を医療従事者が入力した場合に、入力した薬が患者の体質や既往症により患者への投与を禁止されているものであると判断したとき、または入力した薬が現在服用している薬と組み合わせて服用されると副作用を起こす虞があるものであると判断したときに、その旨のメッセージをパソコンの画面に表示している。
【０００５】
しかしながら、特許文献１に記載の技術では、医療従事者は、患者へ投与する予定の薬が患者の体質や既往症により患者への投与を禁止されているものであるか否か、または患者へ投与する予定の薬が現在服用している薬と組み合わせて服用されると副作用を起こす虞があるものであるか否かを把握するために、患者へ投与する予定の薬の名称を実際に入力しなければならないという問題があった。
【０００６】
また、薬の投与だけでなく検査の実施や食事の配膳などの他の医療行為に対して特許文献１に記載の技術を適用した場合でも、医療従事者は、患者へ実施する予定の医療行為が禁止されているものであるか否かを把握するために、患者へ実施する医療行為の名称等を医療従事者が実際に入力しなければならないという問題があった。
【発明の開示】
【発明が解決しようとする課題】
【０００７】
本発明は、このような問題を解決するために成されたものであり、医療従事者が医療行為を実施する際にその医療行為を実際に入力しなくても、禁止されている医療行為を医療従事者に把握させることを目的とする。
【課題を解決するための手段】
【０００８】
上述した課題を解決するために、本発明の看護支援システムでは、患者への医療行為を示す医療行為情報と医療行為が実施された患者に対して実施が禁止されている医療行為があればその医療行為を示す禁止行為情報とを互いに対応付けて予め記憶しておく。医療従事者が実際に実施した医療行為を示す実施済医療行為情報を入力した場合に、実施済医療行為情報によって特定される医療行為情報に対応する禁止行為情報が記憶されていると、該当する禁止行為情報を取得して、実際に医療行為が実施された患者を示す患者情報と対応付ける。そして、患者が指定された場合に、対応する禁止行為情報があれば実施済医療行為情報とともに表示するようにしている。
【０００９】
また、本発明の他の態様によれば、患者を識別するための患者情報とその患者に対して実施が禁止されている医療行為があればその医療行為を示す患者別禁止行為情報とを互いに対応付けて予め記憶しておく。患者が指定された場合に、対応する患者別禁止行為情報があれば指定された患者を示す患者情報とともに表示するようにしている。
【発明の効果】
【００１０】
上記のように構成した本発明によれば、患者を指定するだけで、医療従事者が実際に実施した医療行為に対して実施が禁止されている医療行為が表示部にて表示される。これにより、医療従事者は、これから実施する医療行為に対して実施が禁止されているか否かを、実施する医療行為を実際に入力しなくても把握することができる。
【００１１】
また、本発明の他の態様によれば、患者を指定するだけで、その患者に対して実施が禁止されている医療行為が表示部にて表示される。これにより、医療従事者は、これから患者へ実施する医療行為に対して実施が禁止されているか否かを、実施する医療行為を実際に入力しなくても把握することができる。
【発明を実施するための最良の形態】
【００１２】
以下、本発明の一実施形態を図面に基づいて説明する。本実施形態による看護支援システムのブロック図を図１に示す。同図に示すように、本実施形態による看護支援システム１は、制御部２、記憶部３、入力部４、患者指定部５、表示部６を備えて構成されている。また、制御部２は、判定部２ａ、情報付加部２ｂ、情報取得部２ｃを備えて構成されている。ここで、本実施形態の看護支援システム１は、パソコンやＰＤＡなどにより実現される。なお、本実施形態の看護支援システム１は、パソコンやＰＤＡ単体で構成しても良いし、パソコンやＰＤＡなどの端末装置とそれらを接続するサーバとにより構成しても良い。
【００１３】
制御部２は、看護支援システム１の各構成要素を後述するように制御する。記憶部３は、図２に示すように、医療行為名領域２１、禁止医療行為名領域２２を格納している。ここで、記憶部３は、医療行為名領域２１および禁止医療行為名領域２２を互いに対応付けて記憶している。医療行為名領域２１には、患者に対して実施する医療行為を示す医療行為情報（例えば、食事、点滴Ａなど）が予め格納されている。禁止医療行為名領域２２には、患者に対して実施する医療行為のうち、患者に実施された医療行為に対して組み合わせて実施することが禁止されている医療行為を示す禁止行為情報（例えば、食事に対して胃カメラ検査、点滴Ａに対して点滴Ｂなど）が予め格納されている。
【００１４】
入力部４は、医療行為が実施された患者を識別するための患者情報とその患者に対して実際に実施した医療行為を示す実施済医療行為情報とを入力するためのものである。ここで、患者情報は、例えば患者名や患者ＩＤなどである。具体的には、医療従事者は、医療行為を実施した際に、医療行為を実施した患者を示す患者情報と実施した医療行為を示す実施済医療行為情報とを入力部４にて入力する。
【００１５】
判定部２ａは、入力部４にて入力した実施済医療行為情報によって特定される医療行為情報に対応する禁止行為情報が記憶部３に記憶されているか否かを判定する。具体的には、医療従事者が入力部４にて実施済医療行為情報を入力したと制御部２にて判断した場合に、判定部２ａは、医療従事者が入力部４にて入力した実施済医療行為情報をキーにして記憶部３を検索する。
【００１６】
そして、実施済医療行為情報に対応する禁止行為情報が記憶部３に記憶されていると判定部２ａにて判断した場合には、情報付加部２ｂは、該当する禁止行為情報を記憶部３から取得する。情報付加部２ｂが該当する禁止行為情報を記憶部３から取得すると、制御部２は、取得した禁止行為情報を実施済医療行為情報とともに後述する表示部６に出力する。また、情報付加部２ｂは、該当する禁止行為情報を記憶部３から取得すると、入力部４にて入力した患者情報と対応付けて、記憶部３に出力する。記憶部３は、対応付けた患者情報と禁止行為情報とを入力して記憶する。ここで、情報付加部２ｂが取得した禁止行為情報には、入力部４にて入力した実施済医療行為情報が対応付けられているので、記憶部３には、入力部４にて入力した患者情報、取得した禁止行為情報、およびそれに対応する実施済医療行為情報が対応付けて記憶されることになる。なお、本実施形態では、情報付加部２ｂは、対応付けた情報を記憶部３に記憶させているが、これに限定されない。例えば、情報付加部２ｂは、図示しないメモリなどの記憶媒体に対応付けた情報を記憶させるようにしても良い。
【００１７】
患者指定部５は、禁止行為情報を表示する対象となる患者を示す患者情報を指定するためのものである。具体的には、医療従事者は、これから医療行為を実施する患者を患者指定部５にて指定する。表示部６は、患者指定部５にて指定された患者の患者情報に対応する禁止行為情報を実施済医療行為情報とともに表示するものである。具体的には、禁止行為情報を表示する対象となる患者を示す患者情報を医療従事者が患者指定部５にて指定すると、情報取得部２ｃは、医療従事者により指定された患者情報に対応する禁止行為情報および実施済医療行為情報が記憶部３に記憶されているか否かを判定する。医療従事者により指定された患者情報に対応する禁止行為情報および実施済医療行為情報が記憶部３に記憶されていると情報取得部２ｃにて判断した場合には、情報取得部２ｃは、医療従事者により指定された患者情報に対応する禁止行為情報および実施済医療行為情報を記憶部３から取得する。そして、制御部２は、患者指定部５にて指定された患者情報並びに記憶部３から取得した禁止行為情報および実施済医療行為情報を出力する。表示部６は、制御部２から出力された患者情報と禁止行為情報と実施済医療行為情報とを入力し、入力した情報に基づいて表示画面３０を生成して表示する。
【００１８】
図３は、表示部６の表示画面３０の例を示す説明図である。同図において、表示画面３０は、患者名表示欄３１、実施済医療行為表示欄３２、禁止医療行為表示欄３３から成る。患者名表示欄３１には、医療従事者により指定された患者の氏名が表示される。実施済医療行為表示欄３２には、実施済みの医療行為の名称（すなわち、医療従事者が入力部４にて入力した実施済医療行為情報）が表示される。禁止行為表示欄３３には、医療行為に対して実施が禁止されている医療行為の名称（すなわち、制御部２が記憶部３から取得した禁止行為情報）が表示される。なお、本実施形態では、制御部２は、医療従事者により指定された患者に対応する一組の実施済医療行為情報および禁止行為情報を表示画面３０に表示しているが、これに限定されない。例えば、制御部２は、医療従事者により指定された患者に対応する複数組の実施済医療行為情報および禁止行為情報を表示画面３０に表示するようにしても良い。これにより、医療従事者は、患者を指定するだけで全ての禁止行為情報を表示画面３０に表示させることができる。ここで、実施済医療行為情報および禁止行為情報を表示画面３０に表示する場合に、患者情報を表示することは、必須ではない。
【００１９】
また、上述したように、医療従事者が実施済医療行為情報を入力部４にて入力した際に、入力された実施済医療行為情報に対応する禁止行為情報が記憶部３に記憶されていると判定部２ａにて判断した場合には、制御部２は、該当する禁止行為情報を記憶部３から取得し、患者情報および実施済医療行為情報とともに出力する。表示部６は、制御部２から出力された患者情報と実施済医療行為情報と禁止行為情報とを入力し、入力した情報に基づいて表示画面３０を生成して表示する。すなわち、医療従事者は、入力時に実施済の医療行為に対する禁止行為を確認することができる。
【００２０】
なお、この表示画面３０を継続して表示させることで、入力を行った医療従事者以外の医療従事者も、実施済の医療行為に対する禁止行為情報を確認することができる。従って、入力を行った医療従事者と他の医療従事者との間で情報を共有することができる。ここで、医療従事者が実施済医療行為情報を入力した際に、表示画面３０を表示することは必須ではない。
【００２１】
次に、本実施形態による看護支援システム１の動作を説明する。図４は、本実施形態による看護支援システム１の動作を示すフローチャートである。看護支援システム１の動作は、図４（ａ）に示す情報記憶に関する動作と図４（ｂ）に示す情報取得に関する動作とに分かれる。情報記憶に関する動作を行う場合に、まず制御部２は、医療従事者により情報記憶の開始操作が行われたか否かを判定する（ステップ４０１）。医療従事者により情報記憶の開始操作が行われていないと制御部２にて判断した場合には（ステップ４０１にてＮＯ）、ステップ４０１の処理に戻り、医療従事者により情報記憶の開始操作が行われるまで処理を継続する。一方、医療従事者により情報記憶の開始操作が行われたと制御部２にて判断した場合には（ステップ４０１にてＹＥＳ）、制御部２は、入力部４を動作させる（ステップ４０２）。入力部４が動作すると、医療従事者は、患者情報および実施済医療行為情報を入力することができる。
【００２２】
制御部２は、患者情報および実施済医療行為情報が医療従事者により入力されたか否かを判定する（ステップ４０３）。患者情報および実施済医療行為情報の少なくとも一方が医療従事者により入力されていないと制御部２にて判断した場合には（ステップ４０３にてＮＯ）、ステップ４０３の処理に戻り、患者情報および実施済医療行為情報が医療従事者により入力されるまで処理を継続する。一方、患者情報および実施済医療行為情報が医療従事者により入力されたと制御部２にて判断した場合には（ステップ４０３にてＹＥＳ）、判定部２ａは、入力された実施済医療行為情報をキーにして記憶部３の禁止行為情報を検索する（ステップ４０４）。
【００２３】
判定部２ａは、その検索結果から、実施済医療行為情報に対応する禁止行為情報が記憶部３に記憶されているか否かを判定する（ステップ４０５）。実施済医療行為情報に対応する禁止行為情報が記憶部３に記憶されていないと判定部２ａにて判断した場合には（ステップ４０５にてＮＯ）、ステップ４０９へ移行する。一方、実施済医療行為情報に対応する禁止行為情報が記憶部３に記憶されていると判定部２ａにて判断した場合には（ステップ４０５にてＹＥＳ）、情報付加部２ｂは、該当する禁止行為情報を記憶部３から取得する（ステップ４０６）。そして、制御部２は、患者情報および実施済医療行為情報とともに、取得した禁止行為情報を出力する。表示部６は、制御部２から出力された患者情報と実施済医療行為情報と禁止行為情報とを入力し、入力した情報に基づいて表示画面３０を生成して表示する（ステップ４０７）。そして、情報付加部２ｂは、入力部４にて入力した患者情報と取得した禁止行為情報とを互いに対応付けて記憶部３に出力する。記憶部３は、患者情報と禁止行為情報とを入力して記憶する（ステップ４０８）。
【００２４】
ステップ４０９では、制御部２は、医療従事者により終了操作が行われたか否かを判定する。医療従事者により終了操作が行われたと制御部２にて判断した場合には（ステップ４０９にてＹＥＳ）、制御部２は処理を終了する。一方、医療従事者により終了操作が行われていないと制御部２にて判断した場合には（ステップ４０９にてＮＯ）、ステップ４０３の処理に戻る。
【００２５】
また、情報取得に関する動作を行う場合に、まず制御部２は、医療従事者により情報取得の開始操作が行われたか否かを判定する（ステップ４１０）。医療従事者により情報取得の開始操作が行われていないと制御部２にて判断した場合には（ステップ４１０にてＮＯ）、ステップ４１０の処理に戻り、医療従事者により情報取得の開始操作が行われるまで処理を継続する。一方、医療従事者により情報取得の開始操作が行われたと制御部２にて判断した場合には（ステップ４１０にてＹＥＳ）、制御部２は、医療従事者がこれから医療行為を実施する患者が患者指定部５にて指定されたか否かを判定する（ステップ４１１）。患者が指定されていないと制御部２にて判断した場合には（ステップ４１１にてＮＯ）、ステップ４１１の処理に戻り、患者が指定されるまで処理を継続する。一方、患者が指定されたと制御部２にて判断した場合には（ステップ４１１にてＹＥＳ）、情報取得部２ｃは、医療従事者により指定された患者情報に対応する禁止行為情報および実施済医療行為情報が記憶部３に記憶されているか否かを判定する（ステップ４１２）。医療従事者により指定された患者情報に対応する禁止行為情報および実施済医療行為情報が記憶部３に記憶されていないと情報取得部２ｃにて判断した場合には（ステップ４１２にてＮＯ）、ステップ４１５へ移行する。一方、医療従事者により指定された患者情報に対応する禁止行為情報および実施済医療行為情報が記憶部３に記憶されていると情報取得部２ｃにて判断した場合には（ステップ４１２にてＹＥＳ）、情報取得部２ｃは、医療従事者により指定された患者情報に対応する禁止行為情報および実施済医療行為情報を記憶部３から取得する（ステップ４１３）。
【００２６】
制御部２は、患者指定部５にて指定された患者情報並びに記憶部３から取得した禁止行為情報および実施済医療行為情報を出力する。そして、表示部６は、制御部２から出力された患者情報と禁止行為情報と実施済医療行為情報とを入力し、入力した情報に基づいて表示画面３０を生成して表示する（ステップ４１４）。
【００２７】
ステップ４１５では、制御部２は、医療従事者により終了操作が行われたか否かを判定する。医療従事者により終了操作が行われたと制御部２にて判断した場合には（ステップ４１５にてＹＥＳ）、制御部２は処理を終了する。一方、医療従事者により終了操作が行われていないと制御部２にて判断した場合には（ステップ４１５にてＮＯ）、ステップ４１１の処理に戻る。
【００２８】
以上、詳しく説明したように、本実施形態の看護支援システム１では、患者への医療行為を示す医療行為情報と医療行為が実施された患者に対して実施が禁止されている医療行為があればその医療行為を示す禁止行為情報とを互いに対応付けて記憶部３に予め記憶しておく。医療従事者が実際に実施した医療行為を示す実施済医療行為情報を入力部４にて入力した場合に、その実施済医療行為情報によって特定される医療行為情報に対応する禁止行為情報が記憶部３に記憶されていると、情報付加部２ｂは、該当する禁止行為情報を記憶部３から取得して、実際に医療行為が実施された患者を示す患者情報と対応付ける。そして、患者が指定された場合、表示部６は、対応する禁止行為情報があれば実施済医療行為情報とともに表示している。これにより、医療従事者は、これから実施する医療行為に対して実施が禁止されているか否かを、実施する医療行為を実際に入力しなくても把握することができる。
【００２９】
なお、上述した実施形態では、実施済の医療行為に対する禁止行為を表示しているが、これに限定されない。例えば、患者に対して禁止されている医療行為を表示するようにしても良い。
【００３０】
具体的には、本変形例は、図５に示すような看護支援システムにより実現される。同図に示すように、本変形例による看護支援システム１’は、制御部２’、記憶部３’、患者指定部５’、表示部６’を備えて構成されている。また、制御部２’は、情報取得部２ｃ’を備えて構成されている。記憶部３’は、患者を識別するための患者情報と患者に対して実施が禁止されている医療行為を示す患者別禁止行為情報とを互いに対応付けて予め記憶している。記憶部３’は、図６に示すように、患者名領域６１、禁止医療行為名領域６２を格納している。ここで、記憶部３’は、患者名領域６１および禁止医療行為名領域６２を互いに対応付けて記憶している。患者名領域６１には、患者を識別するための患者情報（例えば、佐藤太郎、山田次郎など）が予め格納されている。禁止医療行為名領域６２には、患者に対して実施が禁止されている医療行為を示す患者別禁止行為情報（例えば、佐藤太郎に対して点滴Ａ、山田次郎に対して食事など）が予め格納されている。
【００３１】
患者指定部５’は、患者別禁止行為情報を表示する対象となる患者を示す患者情報を指定するためのものである。具体的には、医療従事者は、医療行為を実施する際に、患者指定部５’にて患者情報を指定する。情報取得部２ｃ’は、患者指定部５’にて指定された患者の患者情報に対応する患者別禁止行為情報が記憶部３’に記憶されているか否かを判定する。患者情報に対応する患者別禁止行為情報が記憶部３’に記憶されていると情報取得部２ｃ’にて判断した場合には、情報取得部２ｃ’は、該当する患者別禁止行為情報を記憶部３’から取得する。
【００３２】
表示部６’は、情報取得部２ｃ’にて取得した患者別禁止行為情報を患者情報とともに表示するものである。具体的には、情報取得部２ｃ’は、医療従事者により指定された患者情報に対応する患者別禁止行為情報を記憶部３’から取得する。そして、制御部２’は、患者指定部５’にて指定された患者情報および記憶部３から取得した患者別禁止行為情報を出力する。表示部６’は、制御部２’から出力された患者情報と禁止行為情報とを入力し、入力した情報に基づいて図７に示す表示画面７０を生成して表示する。同図において、表示画面７０は、患者名表示欄７１、禁止医療行為表示欄７２から成る。患者名表示欄７１には、医療従事者が入力部４’にて入力した患者名が表示される。禁止医療行為表示欄７２には、患者に対して実施が禁止されている医療行為の名称が表示される。
【００３３】
これにより、医療従事者が患者を指定するだけで、その患者に対して実施が禁止されている医療行為が表示部６’にて表示されるので、医療従事者は、これから患者へ実施する医療行為に対して実施が禁止されているか否かを、実施する医療行為を実際に入力しなくても把握することができる。
【００３４】
また、上述した実施形態では、患者情報と実施済医療行為情報と禁止行為情報とを表示しているだけであるが、これに限定されない。例えば、これらの情報の表示にもかかわらず、医療従事者が禁止行為情報を実施して実施済医療行為情報として入力した場合に、アクシデントまたはインシデントを示す情報として記録するようにしても良い。
【００３５】
これにより、医療従事者が先に実施した医療行為に対して禁止されている医療行為を実施してしまった場合に、それが記録されるので、アクシデントやインシデントの発生の履歴を記録することができる。ここで、本変形例は、上述の実施形態と同様に、上述の変形例にも適用することができる。
【００３６】
また、上述した実施形態では、実施済医療行為情報および禁止行為情報は、実施済の医療行為から経過した時間に関係なく対応付けられているが、これに限定されない。例えば、実施済医療行為情報に対して禁止行為情報が有効となる経過時間を設定しておき、実施済医療行為情報が入力された時間から所定時間が経過するまでの間のみ禁止行為情報を取得して表示するようにしても良い。これにより、ある程度の時間が経過すれば禁止行為ではなくなる医療行為についても禁止行為情報として扱うことができる。
【００３７】
その他、看護支援システム１、１’の構成、処理手順、内容等についても、この発明の要旨を逸脱しない範囲で種々変形して実施することができる。また、上記実施形態に開示されている複数の構成要素の組み合わせにより種々の発明を形成することができる。例えば、実施形態に示される全構成要素からいくつかの構成要素を削除するようにしても良い。さらに、異なる実施形態に亘る構成要素を適宜組み合わせるようにしても良い。
【図面の簡単な説明】
【００３８】
【図１】本実施形態による看護支援システムの構成例を示すブロック図である。
【図２】本実施形態による看護支援システムの記憶部の記憶内容例を示す説明図である。
【図３】本実施形態による看護支援システムの表示部の表示画面の例を示す説明図である。
【図４】本実施形態による看護支援システムの動作を示すフローチャートである。
【図５】本実施形態による看護支援システムの構成の変形例を示すブロック図である。
【図６】変形例による記憶部の記憶内容の例を示す説明図である。
【図７】変形例による表示部の表示画面の例を示す説明図である。
【符号の説明】
【００３９】
１、１’  看護支援システム
２、２’  制御部
２ａ  判定部
２ｂ  患者付加部
２ｃ、２ｃ’  情報取得部
３、３’  記憶部
４  入力部
２ａ  判定部
５、５’  患者指定部
６、６’  表示部
２１  医療行為名領域
２２、６２  禁止医療行為名領域
３０、７０  表示画面
３１、７１  患者名表示欄
３２  実施済医療行為表示欄
３３、７２  禁止医療行為表示欄
６１  患者名領域
【図１】
2009271574.tif 000003
【図２】
2009271574.tif 000004
【図３】
2009271574.tif 000005
【図４】
2009271574.tif 000006
【図５】
2009271574.tif 000007
【図６】
2009271574.tif 000008
【図７】
2009271574.tif 000009